(57)【要約】【課題】携帯機器を安全に持ち運びすることができるとともに、携帯機器の着信を容易に把握することができる携帯機器保持具を提供する。【解決手段】携帯機器保持具１は、作業着を着用した作業者の腕部に着脱可能に巻回して密着固定する本体部２と、本体部２の外側面２ａに、携帯電話Ｐを収納可能な袋状に形成された収納部３と、を備える。そして、本体部２は、伸縮性を有する布地により形成されている。さらに、収納部３の両側部に設けられた凹状に湾曲した湾曲部３１は、開口部３ａ側に設けられ、該湾曲部３１の最小幅Ｗ１が携帯電話Ｐの最大幅Ｗ０よりも狭くなるように形成されている。【選択図】図４
2018187224.tif 000002
【特許請求の範囲】
【請求項１】
作業者の腕部に着脱可能に巻回して密着固定する本体部と、
前記本体部の外側面に、携帯機器を収納可能な袋状に形成された収納部と、を備え、
前記本体部は、伸縮性を有する布地により形成されてなる携帯機器保持具。
【請求項２】
前記収納部には、前記携帯機器が挿入される開口部が設けられると共に、両側部に凹状に湾曲した湾曲部が設けられ、
前記湾曲部は、前記開口部側に設けられ、前記開口部から前記携帯機器を挿入したとき、当該湾曲部の最小幅が前記携帯機器の最大幅よりも狭くなるように形成されてなる請求項１に記載の携帯機器保持具。
【請求項３】
前記本体部の外側面には、複数の第１雄スナップボタン又は第１雌スナップボタンが設けられ、
前記本体部の内側面には、前記複数の第１雄スナップボタン又は第１雌スナップボタンから選択された１個の第１雄スナップボタン又は第１雌スナップボタンに着脱可能に固定される第１雌スナップボタン又は第１雄スナップボタンが設けられてなる請求項１又は２に記載の携帯機器保持具。
【請求項４】
前記本体部の外側面には、第２雄スナップボタン又は第２雌スナップボタンが設けられ、
前記収納部には、前記開口部を閉塞する蓋部が設けられ、
前記蓋部の内側面には、前記第２雄スナップボタン又は第２雌スナップボタンに着脱可能に固定される第２雌スナップボタン又は第２雄スナップボタンが設けられてなる請求項１〜３のいずれか１項に記載の携帯機器保持具。
【請求項５】
前記本体部の内側面には、作業着を着用した作業者の腕部の外側面に設けられた第３雄スナップボタン又は第３雌スナップボタンに着脱可能に固定される第３雌スナップボタン又は第３雄スナップボタンが設けられてなる請求項１〜４のいずれか１項に記載の携帯機器保持具。
【発明の詳細な説明】
【技術分野】
【０００１】
本発明は、食品、医薬品等を製造する工場等で使用される携帯機器保持具に関する。
【背景技術】
【０００２】
近年、食品、医薬品等を製造する工場等で使用される作業着（白衣（ユニフォーム）、防塵衣（クリーンルームウェア）等）は、異物混入対策の一環として、工場等で作業する従業員等の作業者が工場等に異物を持ち込めないようにするため、ポケット等を備えないものが多くなってきている。その一方で、工場等で作業する作業者のうち、一部の限られた作業者、例えば、責任者（工場長、工場管理者）等の作業者は、携帯電話、ＰＨＳ（Ｐｅｒｓｏｎａｌ  Ｈａｎｄｙ−ｐｈｏｎｅ  Ｓｙｓｔｅｍ、簡易型携帯電話）等の携帯機器を工場等に持ちこみ、外部と連絡しなければならない場合がある。それゆえ、従来においては、携帯機器を、係止具等を介して連結したネックストラップ（吊り下げ具）を首に吊り下げるようにしている（特許文献１参照）。
【先行技術文献】
【特許文献】
【０００３】
【特許文献１】特開２００２−１４２８４８号公報
【発明の概要】
【発明が解決しようとする課題】
【０００４】
しかしながら、上記のようなネックストラップを首に吊り下げた状態で責任者等の作業者が工場等を歩き回ると、携帯機器が激しく揺動することとなるから、携帯機器が機械等に衝突して破損したり、あるいは、携帯機器が機械等に巻き込まれて死亡事故を引き起こしたりといった問題があった。
【０００５】
またさらに、食品、医薬品等を製造する工場等では、機械等の動作音が非常に大きいことから、携帯機器の着信を振動で通知するようにしていることが一般的であるが、携帯機器を連結したネックストラップを首に吊り下げた状態で工場等を歩き回ると、上記したように、携帯機器が激しく揺動することとなるから、携帯機器の着信を把握しにくいといった問題があった。
【０００６】
そこで、本発明は、上述の事情に鑑み、携帯機器を安全に持ち運びすることができるとともに、携帯機器の着信を容易に把握することができる携帯機器保持具を提供することを目的としている。
【課題を解決するための手段】
【０００７】
上記目的を達成するための手段を図面の参照符号を付して示せば、請求項１の発明に係る携帯機器保持具１は、
作業者Ｗの腕部Ａに着脱可能に巻回して密着固定する本体部２と、
前記本体部２の外側面２ａに、携帯電話Ｐ（携帯機器）を収納可能な袋状に形成された収納部３と、を備え、
前記本体部２は、伸縮性を有する布地により形成されてなることを特徴としている。
【０００８】
請求項２の発明は、上記請求項１に記載の携帯機器保持具１において、前記収納部３には、前記携帯電話Ｐ（携帯機器）が挿入される開口部３ａが設けられると共に、両側部に凹状に湾曲した湾曲部３１が設けられ、
前記湾曲部３１は、前記開口部３ａ側に設けられ、前記開口部３ａから前記携帯電話Ｐ（携帯機器）を挿入したとき、当該湾曲部３１の最小幅Ｗ１が前記携帯電話Ｐ（携帯機器）の最大幅Ｗ０よりも狭くなるように形成されてなることを特徴としている。
【０００９】
請求項３の発明は、上記請求項１又は２に記載の携帯機器保持具１において、前記本体部２の外側面２ａには、複数の第１雄スナップボタン４（第１雄スナップボタン又は第１雌スナップボタン）が設けられ、
前記本体部２の内側面２ｂには、前記複数の第１雄スナップボタン４（第１雄スナップボタン又は第１雌スナップボタン）から選択された１個の第１雄スナップボタン４（第１雄スナップボタン又は第１雌スナップボタン）に着脱可能に固定される第１雌スナップボタン５（第１雌スナップボタン又は第１雄スナップボタン）が設けられてなることを特徴としている。
【００１０】
請求項４の発明は、上記請求項１〜３のいずれか１項に記載の携帯機器保持具１において、
前記本体部２の外側面２ａには、第２雄スナップボタン７（第２雄スナップボタン又は第２雌スナップボタン）が設けられ、
前記収納部３には、前記開口部３ａを閉塞する蓋部３３が設けられ、
前記蓋部３３の内側面３３ａには、前記第２雄スナップボタン７（第２雄スナップボタン又は第２雌スナップボタン）に着脱可能に固定される第２雌スナップボタン８（第２雌スナップボタン又は第２雄スナップボタン）が設けられてなることを特徴としている。
【００１１】
請求項５の発明は、上記請求項１〜４のいずれか１項に記載の携帯機器保持具１において、前記本体部２の内側面２ｂには、作業着を着用した作業者Ｗの腕部Ａの外側面Ａ１に設けられた第３雄スナップボタン（図示せず、第３雄スナップボタン又は第３雌スナップボタン）に着脱可能に固定される第３雌スナップボタン９（第３雌スナップボタン又は第３雄スナップボタン）が設けられてなることを特徴としている。
【発明の効果】
【００１２】
以下に、本発明の効果について、図面の参照符号を付して説明する。請求項１の発明に係る携帯機器保持具１は、作業者Ｗの腕部Ａに着脱可能に巻回して密着固定する本体部２と、本体部２の外側面２ａに、携帯電話Ｐ（携帯機器）を収納可能な袋状に形成された収納部３と、を備え、さらに、本体部２が、伸縮性を有する布地により形成されているから、携帯電話Ｐ（携帯機器）と作業者Ｗの腕部Ａとの密着性を高くすることができ、もって、携帯電話Ｐ（携帯機器）を安全に持ち運びすることができる。これにより、携帯電話Ｐ（携帯機器）が機械等に衝突して破損したり、携帯電話Ｐ（携帯機器）が機械等に巻き込まれて死亡事故を引き起こしたりという事態を低減することができる。
【００１３】
さらに、請求項１の発明によれば、携帯電話Ｐ（携帯機器）と作業者Ｗの腕部Ａとの密着性を高くすることができるから、例えば、携帯機器の着信を振動で通知するようにしている場合には、携帯電話Ｐ（携帯機器）の振動が減衰することなく作業者Ｗの腕部Ａに伝達されることとなり、もって、携帯電話Ｐ（携帯機器）の着信を容易に把握することができる。
【００１４】
請求項２の発明によれば、収納部３の両側部に設けられた凹状に湾曲した湾曲部３１は、開口部３ａ側に設けられ、該湾曲部３１の最小幅Ｗ１が携帯電話Ｐ（携帯機器）の最大幅Ｗ０よりも狭くなるように形成されているから、湾曲部３１の最小幅Ｗ１が携帯電話Ｐの最大幅Ｗ０よりも狭くなることによって、携帯電話Ｐ（携帯機器）の開口部３ａ側への移動が規制され、もって、携帯電話Ｐ（携帯機器）の開口部３ａからの脱落を低減することができる。
【００１５】
請求項３の発明によれば、本体部２の外側面２ａに設けられた第１雄スナップボタン４（第１雄スナップボタン又は第１雌スナップボタン）に、本体部２の内側面２ｂに設けられた第１雌スナップボタン５（第１雌スナップボタン又は第１雄スナップボタン）が着脱可能に固定されるから、本体部２を作業者Ｗの腕部Ａに容易かつ強固に密着固定することができるとともに、例えば、面ファスナ等を使用して本体部２を作業者Ｗの腕部Ａに固定する場合に比較して、異物混入の原因となる塵埃等の付着・飛散を低減することができる。
【００１６】
請求項４の発明によれば、収納部３には、開口部３ａを閉塞する蓋部３３が設けられているから、この蓋部３３によって、携帯電話Ｐ（携帯機器）の開口部３ａから外方への移動が規制され、もって、携帯電話Ｐ（携帯機器）の開口部３ａからの脱落をより低減することができる。さらに、請求項４の発明によれば、本体部２の外側面２ａに設けられた第２雄スナップボタン７（第２雄スナップボタン又は第２雌スナップボタン）に、蓋部３３の内側面３３ａに設けられた第２雌スナップボタン８（第２雌スナップボタン又は第２雄スナップボタン）が着脱可能に固定されるから、蓋部３３を本体部２に容易かつ強固に固定することができるとともに、例えば、面ファスナ等を使用して蓋部３３を本体部２に固定する場合に比較して、異物混入の原因となる塵埃等の付着・飛散をより低減することができる。
【００１７】
請求項５の発明によれば、作業着を着用した作業者Ｗの腕部Ａの外側面Ａ１に設けられた第３雄スナップボタン（図示せず、第３雄スナップボタン又は第３雌スナップボタン）に、本体部２の内側面２ｂに設けられた第３雌スナップボタン９（第３雌スナップボタン又は第３雄スナップボタン）が着脱可能に固定されるから、本体部２を作業者Ｗの腕部Ａの外側面Ａ１の所定位置に容易かつ強固に固定することができるとともに、例えば、面ファスナ等を使用して本体部２を作業者Ｗの腕部Ａの外側面Ａ１の所定位置に固定する場合に比較して、異物混入の原因となる塵埃等の付着・飛散をさらに低減することができる。
【図面の簡単な説明】
【００１８】
【図１】本発明の一実施形態に係る携帯機器保持具を例示する正面から見た斜視図である。
【図２】同実施形態に係る携帯機器保持具の蓋部を正面側に開いた状態を例示する正面から見た斜視図である。
【図３】同実施形態に係る携帯機器保持具を例示する背面から見た斜視図である。
【図４】同実施形態に係る携帯機器保持具の収納部に携帯電話を収納し、携帯機器保持具の蓋部の第２雌スナップボタンを本体部の第２雄スナップボタンに固定した状態を例示する正面から見た斜視図である。
【図５】同実施形態に係る携帯機器保持具の収納部に携帯電話を収納した携帯機器保持具を作業者の腕部に装着する状態を例示する側面から見た斜視図である。
【図６】同実施形態に係る携帯機器保持具の収納部に携帯電話を収納した携帯機器保持具を作業者の腕部に装着し、携帯機器保持具の本体部の第１雌スナップボタンを本体部の第１雄スナップボタンに固定した状態を例示する側面から見た斜視図である。
【発明を実施するための形態】
【００１９】
以下に、本発明に係る携帯機器保持具の一実施形態について、図面を参照して具体的に説明する。なお、以下の説明において、上下左右の方向を示す場合は、図示正面から見た場合の上下左右をいうものとする。
【００２０】
図１〜図６に示すように、携帯機器保持具１は、主に、食品、医薬品等を製造する工場等で作業する作業者のうち、一部の限られた作業者、例えば、責任者（工場長、工場管理者）等の作業者Ｗ（図５，図６参照）が、ポケット等を備えない作業着（白衣（ユニフォーム）、防塵衣（クリーンルームウェア）等）を着用した際に、作業者Ｗの腕部Ａ（図５，図６参照）に携帯電話Ｐ（図４〜図６参照）を保持した状態で、後付けで装着して使用するものである。なお、本実施形態の携帯機器保持具１は、工場等で作業する責任者等の作業者Ｗが、携帯電話Ｐを工場等に持ち込むために使用するものであって、工場等で作業する従業員等の作業者が使用するものではない。
【００２１】
かくして、このような携帯機器保持具１は、図１〜図６に示すように、作業着を着用した作業者Ｗの腕部Ａに着脱可能に巻回して密着固定する本体部２と、本体部２の外側面２ａの略中央部に、開口部３ａを有する袋状に形成された収納部３と、で主に構成されている。なお、携帯電話Ｐは、この収納部３内に収納されることとなる。
【００２２】
本体部２は、図５及び図６に示すように、作業着を着用した作業者Ｗの腕部Ａ（例えば、作業者Ｗの上腕部の全周を被覆する作業着の袖部）の外側面Ａ１を全周にわたって巻回して密着固定することが可能な伸縮性を有する布地からなるものである。この布地は、例えば、ポリウレタン、ポリエステル等の化学繊維からなる肌触りの良好な布地であって、トリコット等の経編（タテアミ）によって編まれた編物である。しかして、本体部２は、このような布地を２枚重ね合わせ、外周部を内側に折り返した状態で、外縁部の全周に沿うように縫製して１枚の布地として形成されたものである。
【００２３】
かくして、上記のように形成される本体部２をさらに詳しく説明すると、本体部２は、図１及び図２に示すように、外側面２ａの中央部に収納部３が縫製により取り付けられる略円形状の板状部２１と、板状部２１の右側部の中央部から右側に略矩形状に長く延びる帯状部２２と、板状部２１の左側部の中央部から左側に略矩形状に延び、その先端部が右側に折り返し縫製されて環状となる環状部２３と、を備えている。なお、板状部２１、帯状部２２、環状部２３は、１枚の布地から形成されており、板状部２１、帯状部２２、環状部２３の外形は、滑らかに連続する形状となっている。
【００２４】
ところで、この板状部２１の外側面２ａには、図１及び図２に示すように、複数（図１及び図２では、３個）の第１雄スナップボタン４が設けられており、図３に示すように板状部２１の内側面２ｂには、第１雌スナップボタン５が設けられている。しかして、この第１雄スナップボタン４及び第１雌スナップボタン５は、図５及び図６に示すように、本体部２を作業者Ｗの腕部Ａに巻回した後に、第１雌スナップボタン５を第１雄スナップボタン４に係合することにより、本体部２を作業者Ｗの腕部Ａに密着固定するものである。これにより、板状部２１の内側面２ｂ（図３参照）は、図５及び図６に示すように、本体部２を作業者Ｗの腕部Ａに巻回したとき、作業者Ｗの腕部Ａの外側面Ａ１に密着することとなる。
【００２５】
ここで、第１雄スナップボタン４及び第１雌スナップボタン５についてより詳しく説明すると、第１雄スナップボタン４は、図１及び図２に示すように、ポリエステル等の矩形状の樹脂テープに、ポリアセタール等の樹脂スナップ（凸部、雄スタッド）が小径かつ円形に突出するように射出成型されたテープスナップであって、板状部２１の外側面２ａに樹脂テープの外縁部を縫製することによって、環状部２３と収納部３との間にわたって、左右方向に等配されて取り付けられている。一方、第１雌スナップボタン５は、図３に示すように、ポリエステル等の矩形状の樹脂テープに、ポリアセタール等の樹脂スナップ（凹部、雌ソケット）が大径かつ円形に突出するように射出成型されたテープスナップであって、帯状部２２の内側面２ｂの先端部（図３左端部）に樹脂テープの外縁部を縫製することによって取り付けられている。
【００２６】
しかるに、このような第１雌スナップボタン５を第１雄スナップボタン４に係合するにあたっては、板状部２１の内側面２ｂが作業者Ｗの腕部Ａの外側面Ａ１に密着するように、複数の第１雄スナップボタン４のうち、１個の第１雄スナップボタン４が選択され、もって、第１雌スナップボタン５の大径かつ円形に突出した樹脂スナップ（凹部、雌ソケット）の内周部が、第１雄スナップボタン４の小径かつ円形に突出した樹脂スナップ（凸部、雄スタッド）の外周部に係合することによって、着脱可能に固定されることとなる。なお、第１雌スナップボタン５の大径かつ円形に突出した樹脂スナップ（凹部、雌ソケット）の内周部の内径は、第１雄スナップボタン４の小径かつ円形に突出した樹脂スナップ（凸部、雄スタッド）の外周部の外径と略同一になるように形成されており、これにより、第１雌スナップボタン５を第１雄スナップボタン４に強固に係合することができることとなる。
【００２７】
しかして、本実施形態によれば、本体部２の外側面２ａに設けられた第１雄スナップボタン４に、本体部２の内側面２ｂに設けられた第１雌スナップボタン５が着脱可能に固定されるから、本体部２を作業者Ｗの腕部Ａに容易かつ強固に密着固定することができるとともに、例えば、面ファスナを使用して本体部２を作業者Ｗの腕部Ａに固定する場合に比較して、異物混入の原因となる塵埃等の付着・飛散を低減することができる。
【００２８】
一方、本体部２は、図５に示すように、作業者Ｗの腕部Ａに巻回する際、帯状部２２の先端部を挿通することによって、帯状部２２の長さを調節することができるアジャスタ６が設けられている。このアジャスタ６は、図１〜図３に示すように、帯状部２２の先端部を挿通可能な挿通穴を有する矩形状かつ樹脂製の枠部材であって、その枠部材の中央部を横架して挿通穴を２分割する中軸６ａを有しており、図１及び図２に示すように、環状部２３の先端部が右側に折り返し縫製されるとき、中軸６ａが環状部２３に挟持されることによって、環状部２３に揺動自在に取り付けられるものである。
【００２９】
かくして、上記のように構成されるアジャスタ６は、図５に示すように、帯状部２２の先端部を、一方の挿通穴の内側から挿通し、中軸６ａの外側を挿通して、他方の挿通穴の内側を挿通することによって、帯状部２２の長さを調節するとともに、作業者Ｗの手指Ｆで帯状部２２の先端部を引っ張ることによって、作業者Ｗの腕部Ａに本体部２を密着固定することができるようになっている。
【００３０】
他方、収納部３は、上部が開口し、上方から携帯電話Ｐを挿入可能な開口部３ａを有しており、この開口部３ａから挿入された携帯電話Ｐを密着収納することが可能な伸縮性を有する布地からなるものであって、本実施形態では、本体部２と同一の布地からなるものである。この布地は、例えば、ポリウレタン、ポリエステル等の化学繊維からなる肌触りの良好な布地であって、トリコット等の経編（タテアミ）によって編まれた編物である。しかして、収納部３は、このような布地を２枚重ね合わせ、外周部を内側に折り返した状態で、外縁部の全周に沿うように縫製して１枚の布地として形成されたものである。
【００３１】
かくして、上記のように形成される収納部３をさらに詳しく説明すると、収納部３は、図１及び図２に示すように、上部に開口部３ａを有し、板状部２１の外側面２ａの中央上部に両側部が縫製により取り付けられる上側部材３ｂと、上側部材３ｂの下部に隙間をあけて配置され、板状部２１の外側面２ａの中央下部に両側部が縫製により取り付けられる下側部材３ｃと、板状部２１の外側面２ａの中央下部に下端部が縫製により取り付けられると共に、下側部材３ｃ及び上側部材３ｂの内周部を挿通してこれらの内周面にそれぞれ外側面の両側部が縫製により取り付けられる紐状部材３ｄと、を有している。なお、上側部材３ｂ、下側部材３ｃ、紐状部材３ｄは、３枚の布地から形成されており、上側部材３ｂ、下側部材３ｃ、紐状部材３ｄの外形は、それぞれ、略矩形状となっている。なおまた、紐状部材３ｄは、上側部材３ｂの上方に延びるように形成されている。
【００３２】
ところで、収納部３の上側部材３ｂの両側部には、図１及び図２に示すように、凹状に湾曲した湾曲部３１が形成されており、収納部３の下側部材３ｃの両側部には、図１及び図２に示すように、直線状に延びる直線部３２が形成されている。そしてさらに、収納部３の紐状部材３ｄの上部には、図１及び図２に示すように、上側部材３ｂの上方に延びる蓋部３３が形成されており、収納部３の紐状部材３ｄの下部には、図１及び図２に示すように、下側部材３ｃの下方に延びる底部３４が形成されており、収納部３の紐状部材３ｄの中間部には、図１及び図２に示すように、蓋部３３と底部３４とを連結する連結部３５が形成されている。
【００３３】
湾曲部３１は、図４に示すように、開口部３ａ側に設けられ、開口部３ａから破線で示す携帯電話Ｐを挿入したとき、湾曲部３１の最小幅Ｗ１が携帯電話Ｐの最大幅Ｗ０よりも狭くなるように凹状に湾曲している。より詳しく説明すると、この湾曲部３１は、図３に示すように、上側部材３ｂの両側部の縫い目４１が凹状に湾曲していることによって、図４に示すように、上側部材３ｂの両側部が凹状に湾曲することとなる。しかるに、このような湾曲部３１は、図４に示すように、上側部材３ｂの中間部が最も凹んでおり、携帯電話Ｐを底部３４に密着収納したとき、携帯電話Ｐの上端面Ｐ１は、湾曲部３１の最小幅Ｗ１となる上側部材３ｂの中間部よりも下方に位置することとなる。すなわち、携帯電話Ｐを底部３４に密着収納したとき、携帯電話Ｐの上端面Ｐ１と底部３４との間の長さ（携帯電話Ｐの長さ）（例えば、１１０ｍｍ）は、湾曲部３１の最小幅Ｗ１となる上側部材３ｂの中間部と底部３４との間の長さ（例えば、１２０ｍｍ）よりも短くなっている。また、湾曲部３１の上部の幅は、上方に向かって広くなるように形成され、湾曲部３１の下部の幅は、下方に向かって広くなるように形成されており、湾曲部３１の最小幅Ｗ１は、例えば、４０ｍｍであって、携帯電話Ｐの最大幅Ｗ０（例えば、５０ｍｍ）よりも狭くなっている。しかして、このように、湾曲部３１の最小幅Ｗ１が携帯電話Ｐの最大幅Ｗ０よりも狭くなることによって、携帯電話Ｐの開口部３ａ側への移動が規制され、もって、携帯電話Ｐの開口部３ａからの脱落を低減することができることとなる。さらに、本実施形態によれば、湾曲部３１の上部の幅が、上方に向かって広くなるように形成され、湾曲部３１の下部の幅が、下方に向かって広くなるように形成されているから、携帯電話Ｐの挿入がスムーズになり、もって、携帯電話Ｐの収納が容易になる。
【００３４】
一方、直線部３２は、図４に示すように、底部３４側に設けられ、直線部３２の最小幅Ｗ２が携帯電話Ｐの幅と同一又は携帯電話Ｐの幅よりも広くなるようにまっすぐに延びている。より詳しく説明すると、直線部３２は、図３に示すように、下側部材３ｃの両側部の縫い目４２がまっすぐに延びていることによって、図４に示すように、下側部材３ｃの両側部がまっすぐに延びることとなる。それゆえ、直線部３２の最小幅Ｗ２は、図４に示すように、上下方向において全て同一（例えば、６０ｍｍ）であって、携帯電話Ｐの最大幅Ｗ０（例えば、５０ｍｍ）よりも広くなっている。これにより、直線部３２の最小幅Ｗ２が携帯電話Ｐの最大幅Ｗ０よりも広くなることによって、携帯電話Ｐの挿入がスムーズになるから、携帯電話Ｐの収納がさらに容易になる。
【００３５】
また一方、蓋部３３は、図１〜図３に示すように、外側方向及び内側方向に開閉自在に設けられており、図４に示すように、内側方向に閉じることにより、開口部３ａの少なくとも一部（例えば、中央部）を閉塞することができるものである。これにより、携帯電話Ｐの開口部３ａから外方への移動が蓋部３３によって規制され、もって、携帯電話Ｐの開口部３ａからの脱落をより低減することができる。
【００３６】
ところで、このような蓋部３３を外側方向及び内側方向に開閉自在に設けるにあたって、蓋部３３の内側面３３ａには、図２及び図３に示すように、第２雌スナップボタン８が設けられている。この第２雌スナップボタン８は、図３に示す第１雌スナップボタン５と同一のものであって、蓋部３３の先端部の内側面３３ａに樹脂テープの外縁部を縫製することによって取り付けられている。そして、この第２雌スナップボタン８は、図２に示すように、本体部２の外側面２ａに設けられている第２雄スナップボタン７に係合されることとなる。なお、第２雄スナップボタン７は、図１及び図２に示す第１雄スナップボタン４と同一のものであって、板状部２１の上端部の外側面２ａに樹脂テープの外縁部を縫製することによって取り付けられている。
【００３７】
しかるに、上記のような第２雄スナップボタン７及び第２雌スナップボタン８は、図４に示すように、携帯電話Ｐを収納部３に収納した後に、第２雌スナップボタン８を第２雄スナップボタン７に係合することにより、蓋部３３を、図４に示すように、内側方向に閉じることができ、もって、開口部３ａの少なくとも一部（例えば、中央部）を閉塞することができることとなる。
【００３８】
しかして、本実施形態によれば、本体部２の外側面２ａに設けられた第２雄スナップボタン７に、蓋部３３の内側面３３ａに設けられた第２雌スナップボタン８が着脱可能に固定されるから、蓋部３３を本体部２に容易かつ強固に固定することができるとともに、例えば、面ファスナ等を使用して蓋部３３を本体部２に固定する場合に比較して、異物混入の原因となる塵埃等の付着・飛散をより低減することができる。
【００３９】
かくして、上記のように構成される携帯機器保持具１は、作業着を着用した作業者Ｗの腕部Ａに次のように装着される。
【００４０】
まず、図４の破線で示す携帯電話Ｐを開口部３ａから挿入するにあたって、図２に示すように、蓋部３３を外側方向に開いて、開口部３ａを開放する。次いで、図４に示すように、破線で示す携帯電話Ｐを開口部３ａから挿入し、携帯電話Ｐの上端面Ｐ１が、湾曲部３１の最小幅Ｗ１となる上側部材３ｂの中間部よりも下方に位置するように、携帯電話Ｐを底部３４に密着収納し、蓋部３３を内側方向に閉じて、第２雌スナップボタン８を第２雄スナップボタン７に係合し、開口部３ａを閉塞する。次いで、図５に示すように、帯状部２２の先端部をアジャスタ６の挿通穴に挿通し、板状部２１を環状とした状態で、板状部２１を、作業着を着用した作業者Ｗの腕部Ａの外側面Ａ１に装着する。次いで、図５に示すように、帯状部２２の先端部を、さらにアジャスタ６の挿通穴に挿通し、帯状部２２の長さを調節するとともに、作業者Ｗの手指Ｆで帯状部２２の先端部を引っ張ることによって、本体部２を作業者Ｗの腕部Ａに密着固定する。そして、図５に示すように、第１雌スナップボタン５を、本体部２が作業者Ｗの腕部Ａに密着するように選択した１個の第１雄スナップボタン４に係合することにより、図６に示すように、本体部２を作業者Ｗの腕部Ａに密着固定することができることとなる。
【００４１】
かくして、上記のような工程を経て、携帯機器保持具１は、作業着を着用した作業者Ｗの腕部Ａに装着されることとなる。
【００４２】
なお、図３に示す符号９は、第３雌スナップボタンであって、作業着を着用した作業者Ｗの腕部Ａの外側面Ａ１に設けられた第３雄スナップボタン（図示せず）に着脱可能に固定されるものである。より詳しく説明すると、第３雌スナップボタン９は、図３に示す第１雌スナップボタン５と同一のものであって、板状部２１の上端部の内側面２ｂに樹脂テープの外縁部を縫製することによって取り付けられているものである。また、図示しない第３雄スナップボタンは、第１雄スナップボタン４と同一のものであって、図５及び図６に示すように、作業着を着用した作業者Ｗの腕部Ａの外側面Ａ１の所定位置に樹脂テープの外縁部を縫製することによって取り付けられるものである。
【００４３】
しかるに、このような第３雌スナップボタン９を第３雄スナップボタン（図示せず）に係合するにあたっては、図５及び図６に示すように、本体部２を作業者Ｗの腕部Ａに巻回するときに、第３雌スナップボタン９を第３雄スナップボタン（図示せず）に係合するようにする。しかして、このようにすれば、図５及び図６に示すように、本体部２を作業者Ｗの腕部Ａに巻回するときに、本体部２を作業者Ｗの腕部Ａの外側面Ａ１の所定位置に容易かつ強固に固定することができることとなる。またさらに、例えば、面ファスナ等を使用して本体部２を作業者Ｗの腕部Ａの外側面Ａ１の所定位置に固定する場合に比較して、異物混入の原因となる塵埃等の付着・飛散をさらに低減することができる。
【００４４】
しかして、以上説明した本実施形態によれば、携帯機器保持具１は、作業者Ｗの腕部Ａに着脱可能に巻回して密着固定する本体部２と、本体部２の外側面２ａに、携帯電話Ｐを収納可能な袋状に形成された収納部３と、を備え、さらに、本体部２が、伸縮性を有する布地により形成されているから、携帯電話Ｐと作業者Ｗの腕部Ａとの密着性を高くすることができ、もって、携帯電話Ｐを安全に持ち運びすることができる。これにより、携帯電話Ｐが機械等に衝突して破損したり、携帯電話Ｐが機械等に巻き込まれて死亡事故を引き起こしたりという事態を低減することができる。
【００４５】
さらに、本実施形態によれば、携帯電話Ｐと作業者Ｗの腕部Ａとの密着性を高くすることができるから、例えば、携帯機器の着信を振動で通知するようにしている場合には、携帯電話Ｐの振動が減衰することなく作業者Ｗの腕部Ａに伝達されることとなり、もって、携帯電話Ｐの着信を容易に把握することができる。
【００４６】
ところで、本実施形態においては、収納部３を、伸縮性を有する布地により形成する例を示したが、それに限らず、使用する携帯電話Ｐのサイズが一定であれば、そのサイズに合った伸縮性を有しない革等の材料にて収納部３を形成しても良い。しかしながら、収納部３を、伸縮性を有する布地により形成した方が、どのような携帯電話Ｐのサイズにも対応することができると共に、携帯電話Ｐと作業者Ｗの腕部Ａとの密着性をより高くすることができるため、好ましい。
【００４７】
また、本実施形態においては、本体部２及び収納部３が、トリコット等の経編によって編まれた編物であったが、これに限らず、例えば、ラッセル等の他の経編によって編まれた編物や、平編、リブ編、両面編、パール編等の緯編（ヨコアミ）によって編まれた編物であってもよい。また、伸縮性を有するものであれば、織物、不織布等であってもよく、例えば、平織、綾織、朱子織等によって織られた織物や、スパンボンド不織布等の不織布であってもよい。また、材料は、ポリウレタン、ポリエステル等の化学繊維に限定されるものではなく、ポリプロピレン、ポリエチレン等の他の化学繊維や、綿、麻、絹等の天然繊維であってもよい。また、２枚の布地を縫製して１枚の布地としたものであったが、これに限らず、例えば、１枚の布地の外縁部に、三つ折りバインダ、四つ折りバインダ等の仕上げ処理を施したものであってもよい。
【００４８】
さらにまた、本実施形態においては、本体部２の外側面２ａに設けられた第１雄スナップボタン４に、本体部２の内側面２ｂに設けられた第１雌スナップボタン５が着脱可能に固定されていたが、これに限らず、例えば、本体部２の外側面２ａに設けられた第１雌スナップボタンに、本体部２の内側面２ｂに設けられた第１雄スナップボタンが着脱可能に固定されてもよい。
【００４９】
さらにまた、本実施形態においては、蓋部３３が、開口部３ａの少なくとも一部を閉塞していたが、これに限らず、例えば、開口部３ａの全部を閉塞してもよい。さらにまた、本実施形態においては、収納部３が、開口部３ａを閉塞する蓋部３３を有していたが、これに限らず、例えば、本体部２が、開口部３ａを閉塞する蓋部を有してもよい。
【００５０】
さらにまた、本実施形態においては、本体部２の外側面２ａに設けられた第２雄スナップボタン７に、蓋部３３の内側面３３ａに設けられた第２雌スナップボタン８が着脱可能に固定されていたが、これに限らず、例えば、本体部２の外側面２ａに設けられた第２雌スナップボタンに、蓋部３３の内側面３３ａに設けられた第２雄スナップボタンが着脱可能に固定されてもよい。
【００５１】
さらにまた、本実施形態においては、作業着を着用した作業者Ｗの腕部Ａの外側面Ａ１に設けられた第３雄スナップボタン（図示せず）に、本体部２の内側面２ｂに設けられた第３雌スナップボタン９が着脱可能に固定されていたが、これに限らず、例えば、作業着を着用した作業者Ｗの腕部Ａの外側面Ａ１に設けられた第３雌スナップボタンに、本体部２の内側面２ｂに設けられた第３雄スナップボタンが着脱可能に固定されてもよい。
【００５２】
さらにまた、本実施形態においては、第１雄スナップボタン４、第１雌スナップボタン５、第２雄スナップボタン７、第２雌スナップボタン８、第３雄スナップボタン（図示せず）、第３雌スナップボタン９が、樹脂テープに、樹脂スナップが射出成型されたテープスナップであったが、これに限らず、例えば、ドットボタン、スナップボタン、ジャンパーホック、バネホック等の樹脂製又は金属製のホック式金具を、アタッチングマシン、ハンドプライヤ、ハンドプレス、打ち具等の取付工具を使用して、かしめ固定して取り付けてもよく、あるいは、縫製して取り付けてもよい。
【００５３】
さらにまた、本実施形態においては、上側部材３ｂ、下側部材３ｃ、紐状部材３ｄが、３枚の布地から形成されていたが、これに限らず、例えば、有底袋状となる１枚の布地から形成してもよく、また、上側部材３ｂと下側部材３ｃとの間に中間部材を設けて、４枚の布地から形成してもよい。
【００５４】
さらにまた、本実施形態においては、携帯機器保持具１に携帯電話Ｐを収納した後に、携帯機器保持具１を、作業着を着用した作業者Ｗの腕部Ａの外側面Ａ１に装着していたが、これに限らず、例えば、携帯機器保持具１を、作業着を着用した作業者Ｗの腕部Ａの外側面Ａ１に装着した後に、携帯機器保持具１に携帯電話Ｐを収納してもよい。
【００５５】
さらにまた、本実施形態においては、携帯機器保持具１に収納される携帯機器として、携帯電話Ｐを例示したが、これに限らず、例えば、ＰＨＳ、スマートフォン、ＰＤＡ（Ｐｅｒｓｏｎａｌ  Ｄｉｇｉｔａｌ  Ａｓｓｉｓｔａｎｔ、携帯情報端末）、コードレス電話機等の無線通信可能な携帯電子機器であってもよい。
【００５６】
なお、本実施形態にて示した形状・寸法等はあくまで例示であり、特許請求の範囲に記載された本発明の要旨の範囲内において、種々の変形・変更が可能である。
【符号の説明】
【００５７】
１      携帯機器保持具
２      本体部
２ａ    外側面
２ｂ    内側面
３      収納部
３ａ    開口部
３ｂ    上側部材
３ｃ    下側部材
３ｄ    紐状部材
４      第１雄スナップボタン
５      第１雌スナップボタン
６      アジャスタ
６ａ    中軸
７      第２雄スナップボタン
８      第２雌スナップボタン
９      第３雌スナップボタン
２１    板状部
２２    帯状部
２３    環状部
３１    湾曲部
３２    直線部
３３    蓋部
３３ａ  内側面
３４    底部
３５    連結部
４１    上側部材の両側部の縫い目
４２    下側部材の両側部の縫い目
Ａ      腕部
Ａ１    外側面
Ｆ      手指
Ｐ      携帯電話
Ｐ１    携帯電話の上端面
Ｗ      作業者
Ｗ０    携帯電話の最大幅
Ｗ１    湾曲部の最小幅
Ｗ２    直線部の最小幅
【図１】
2018187224.tif 000003
【図２】
2018187224.tif 000004
【図３】
2018187224.tif 000005
【図４】
2018187224.tif 000006
【図５】
2018187224.tif 000007
【図６】
2018187224.tif 000008